(57)【特許請求の範囲】
【請求項１】
シールド電線の編組線に接続されるシールドターミナルと、該シールドターミナルを内部に収容するハウジングと、可撓性のある接触片を有するアースプレートと、該アースプレートを固定した状態で前記ハウジングに係合するサイドスペーサと、
を備えたシールドコネクタであって、
前記サイドスペーサを前記シールドターミナルの収容方向に対して略直交する方向から前記ハウジングへ係合させ、前記ハウジングに収容した前記シールドターミナルに前記接触片を電気的に接続させる構成とし、
取り付け相手先の金属ブラケットをロックするパネルロックの一部を前記サイドスペーサで構成したことを特徴とするシールドコネクタ。
【請求項２】
請求項１に記載のシールドコネクタにおいて、
前記ハウジングは、前記サイドスペーサを仮係止するための仮係止部と、前記サイドスペーサを前記ハウジングに対して完全に係合した状態に係止するための本係止部とを有し、前記サイドスペーサには、該サイドスペーサの前記ハウジングに対する係合位置に応じて前記仮係止部又は前記本係止部に係止される被係止部を形成したことを特徴とするシールドコネクタ。
【請求項３】
請求項１又は請求項２に記載のシールドコネクタにおいて、
前記サイドスペーサは、前記略直交する方向に延在する溝を有し、前記シールドターミナルには、前記溝に収容される突起を形成したことを特徴とするシールドコネクタ。
【請求項４】
請求項３に記載のシールドコネクタにおいて、
前記ハウジングは、前記シールドターミナルを係止するランスを一体に有し、該ランスを前記ハウジングにおける、前記突起が対向する壁とは逆側となる壁に形成したことを特徴とするシールドコネクタ。
【請求項５】
請求項１ないし請求項４いずれか記載のシールドコネクタにおいて、
前記サイドスペーサに、前記アースプレートが完全に固定された際にのみ前記アースプレートを介して視認される状態確認部を形成したことを特徴とするシールドコネクタ。
【請求項６】
請求項５に記載のシールドコネクタにおいて、
前記状態確認部を、前記アースプレートに形成した孔に係合する略爪状の突起としたことを特徴とするシールドコネクタ。
【発明の詳細な説明】
【０００１】
【発明の属する技術分野】
本発明は、ハウジングに対して別体に設けたサイドプレートにアースプレートを固定し、サイドプレートをハウジングに係合させると、アースプレートがハウジングに収容されたシールドターミナルに接続される構成のシールドコネクタに関する。
【０００２】
【従来の技術】
二つのシールド電線の端末間を接続する際には、従来よりシールドコネクタが用いられている。
シールドコネクタの特性インピーダンスは、インナーハウジングの材料の誘電率と、インナーターミナルの外形寸法と、上記インナーハウジングの外形寸法との比によって決定されている。また、シールドコネクタの特性インピーダンスは、信号の電送ロス防止やノイズ発生防止等をするために、接続しあうシールド電線の特性インピーダンスに合わせられている。
【０００３】
図２５はシールド電線の端末部分を示している。シールド電線１は、中心導体２と絶縁体３と編組線４と外皮５とで構成されている。シールド電線１の特性インピーダンスは、絶縁体３の材料の誘電率と、中心導体２の径寸法ＤＷ１と、絶縁体３の外径寸法ＤＷ２との比により決定されている。
【０００４】
従って、シールド電線１の特性インピーダンスが決まれば、上記インナーターミナルの外形寸法と、上記インナーハウジングの誘電率とにより、上記インナーハウジングの外形寸法が自ずと決まってくることになる。
【０００５】
図２６はシールドコネクタを構成するシールドターミナルアッシーの断面図を示している。シールドターミナルアッシー６は、シールド電線１の中心導体２に圧着されるインナーターミナル７と、編組線４に圧着されるシールドターミナル８と、シールドターミナル８内に装着されインナーターミナル７を保持するインナーハウジング９とを備えて構成されている。
【０００６】
インナーハウジング９の外形寸法ＤＭ２は、シールド電線１の特性インピーダンスと、インナーハウジング９の材料の誘電率と、インナーターミナル７の外形寸法ＤＭ１とにより決定されている。
【０００７】
図２７は上記シールドターミナルアッシー６が接続されることになる接続相手としてのシールドターミナルアッシーの断面図を示している。シールドターミナルアッシー１０は、シールド電線１′の中心導体２′に圧着されるインナーターミナル１１と、編組線４′に圧着されるシールドターミナル１２と、シールドターミナル１２内に装着されインナーターミナル１１を保持するインナーハウジング１３とを備えて構成されている。
【０００８】
インナーハウジング１３の外形寸法ＤＦ２は、インナーハウジング９（図２６参照）の外形寸法ＤＭ２（図２６参照）と同様、シールド電線１′の特性インピーダンスと、インナーハウジング１３の材料の誘電率と、インナーターミナル１１の外形寸法ＤＦ１とにより決定されている。
【０００９】
ところで、近年、自動車等の車両においてその構成部材の小型化が要求されている。シールドコネクタに関しても、当然の如く、小型化が要望されている。
【００１０】
図２８において、インナーターミナル７やインナーターミナル１１を小型化すると、その大きさの差は殆どなくなり、インナーハウジング９とインナーハウジング１３の材質を同じにして、シールドターミナルアッシー６及びシールドターミナルアッシー１０を製造すれば、インナーハウジング９及びインナーハウジング１３のそれぞれの外形寸法が特性インピーダンスの関係からほぼ同じになってしまうことになる。
【００１１】
これにより、シールドターミナル８とシールドターミナル１２との接続部分においては、シールドターミナル８がシールドターミナル１２よりも一回り大きく形成されるようになる（範囲Ｄ参照）。
【００１２】
図２９において、シールドコネクタ１４は、アウターハウジング１５内にシールドターミナルアッシー６を装着して構成されている。アウターハウジング１５には、シールドターミナル８に接触するとともに、アウターハウジング１５のパネルロック１６を介して取り付け相手先の金属ブラケット（不図示）に接続されるアースプレート１７が設けられている。
【００１３】
そのアースプレート１７には、可撓性を有しアウターハウジング１５内に突出する接触片１８が形成されている。接触片１８は、シールドターミナル８の外形寸法が小さくなった部分に接触するようになっている（撓み量の目安として接触片１８の先端とアースプレート１７の外面との差をＨ１とする）。
【００１４】
【発明が解決しようとする課題】
上記従来技術にあっては、シールドコネクタを組み立てる際に次のような問題点が生じていた。
【００１５】
図３０において、アウターハウジング１５内にシールドターミナルアッシー６を装着し始めると、先ず、シールドターミナル１２（図２８参照）よりも一回大きく形成されたシールドターミナル８の接続部分（図２８の範囲Ｄ参照）によって、接触片１８が外方へ大きく撓まされることになり（撓み量の目安として接触片１８の先端とアースプレート１７の外面との差をＨ２とする（Ｈ１＜Ｈ２））、接触片１８の上記外形寸法が小さくなった部分（シールドターミナル８の）に対する接触荷重が小さくなってしまう可能性があった。
【００１６】
また、仮に接触片１８をこじるようにしてシールドターミナルアッシー６の装着がなされた場合には、上記の可能性が一層高まってしまう恐れがあった。
【００１７】
一方、シールドコネクタを組み立てる際において、上述以外に、次のような問題点も生じていた。
【００１８】
シールドターミナルアッシー６は、シールドターミナル８に形成された係止片１９によって、アウターハウジング１５からの抜けが防止されている。しかし、一箇所のみの係止であるため、十分な係止状態が得られているとは言い難く、抜け方向に外力が加わると、シールドターミナルアッシー６とアウターハウジング１５との間の僅かなガタにより、シールドターミナルアッシー６が係止片１９の先端を基点として若干傾いてしまう恐れがあった。
【００１９】
他方、シールドコネクタを組み立てる際において、上述以外に、更に次のような問題点も生じていた。
【００２０】
即ち、アウターハウジング１５内にアースプレート１７が圧入、装着されていることから、組み立て時に、アースプレート１７が正規の位置に圧入されているがどうかを確認することが困難であった。
【００２１】
また、組み立て時に、シールドターミナルアッシー６がアウターハウジング１５内に完全に装着されているかどうか、言い換えれば途中挿入状態であるか否かを確認することも困難であった（上記抜け方向に外力を加えて確認することは好ましくない）。
【００２２】
本発明は、上述した事情に鑑みてなされるもので、アースプレートとシールドターミナルとの接触荷重が良好に維持されるシールドコネクタを提供することを課題とする。
また、アウターハウジング内におけるシールドターミナル（又はシールドターミナルアッシー）の係止状態の向上を図るとともに、アースプレートやシールドターミナル（又はシールドターミナルアッシー）の状態確認も容易となるシールドコネクタをあわせて提供する。
さらには、組み立て易いシールドコネクタにすることも当然である。
【００２３】
【課題を解決するための手段】
上記課題を解決するためなされた請求項１記載の本発明のシールドコネクタは、シールド電線の編組線に接続されるシールドターミナルと、該シールドターミナルを内部に収容するハウジングと、可撓性のある接触片を有するアースプレートと、該アースプレートを固定した状態で前記ハウジングに係合するサイドスペーサと、を備えたシールドコネクタであって、前記サイドスペーサを前記シールドターミナルの収容方向に対して略直交する方向から前記ハウジングへ係合させ、前記ハウジングに収容した前記シールドターミナルに前記接触片を電気的に接続させる構成とし、取り付け相手先の金属ブラケットをロックするパネルロックの一部を前記サイドスペーサで構成したことを特徴としている。
【００２４】
請求項２記載の本発明のシールドコネクタは、請求項１に記載のシールドコネクタにおいて、前記ハウジングは、前記サイドスペーサを仮係止するための仮係止部と、前記サイドスペーサを前記ハウジングに対して完全に係合した状態に係止するための本係止部とを有し、前記サイドスペーサには、該サイドスペーサの前記ハウジングに対する係合位置に応じて前記仮係止部又は前記本係止部に係止される被係止部を形成したことを特徴としている。
【００２５】
請求項３記載の本発明のシールドコネクタは、請求項１又は請求項２に記載のシールドコネクタにおいて、前記サイドスペーサは、前記略直交する方向に延在する溝を有し、前記シールドターミナルには、前記溝に収容される突起を形成したことを特徴としている。
【００２６】
請求項４記載の本発明のシールドコネクタは、請求項３に記載のシールドコネクタにおいて、前記ハウジングは、前記シールドターミナルを係止するランスを一体に有し、該ランスを前記ハウジングにおける、前記突起が対向する壁とは逆側となる壁に形成したことを特徴としている。
【００２７】
請求項５記載の本発明のシールドコネクタは、請求項１ないし請求項４いずれか記載のシールドコネクタにおいて、前記サイドスペーサに、前記アースプレートが完全に固定された際にのみ前記アースプレートを介して視認される状態確認部を形成したことを特徴としている。
【００２８】
請求項６記載の本発明のシールドコネクタは、請求項５に記載のシールドコネクタにおいて、前記状態確認部を、前記アースプレートに形成した孔に係合する略爪状の突起としたことを特徴としている。
【００３０】
請求項１に記載された本発明によれば、サイドスペーサをシールドターミナルの収容方向に対して略直交する方向からハウジングへ係合させると、ハウジングに収容したシールドターミナルに、サイドスペーサに固定されたアースプレートの接触片が電気的に接続される。このような構成により、アースプレートの接触片は、シールドターミナルの外径寸法の変化に影響されることはない。また、従来のような接触片の過大変位がなくなる。さらに、サイドスペーサがハウジングに完全に係合しない限り、金属ブラケットをロックすることができない。
【００３１】
請求項２に記載された本発明によれば、サイドスペーサをハウジングへ係合させる作業が容易となる。また、ハウジングに対してサイドスペーサを仮係止させた状態でシールドターミナルの挿入を行うことが可能になる。
【００３２】
請求項３に記載された本発明によれば、サイドスペーサをハウジングへ係合させると、シールドターミナルの突起がサイドスペーサの溝に収容されて、シールドターミナルの収容方向及び抜け方向の移動が規制される。
また、途中挿入状態であるか否かを確認することも可能である。即ち、サイドスペーサの溝にシールドターミナルの突起が収容された時においてのみ、完全挿入がなされたことにすれば、途中挿入状態の確認が容易となる。
【００３３】
請求項４に記載された本発明によれば、抜け方向の外力が加わったとしても、ハウジングのランス及びシールドターミナルと、シールドターミナルの突起及びサイドスペーサの溝とにより、シールドターミナルがハウジング内で傾いてしまうことはない。シールドターミナルを挟んだ両側で抜け方向の移動が規制されることから、シールドターミナルの抜け方向に対する移動規制が安定する。
【００３４】
請求項５に記載された本発明によれば、アースプレートがサイドスペーサの正規の位置に固定されているかどうかを確認する際には、状態確認部を視認すればよいことになる。
【００３５】
請求項６に記載された本発明によれば、状態確認部を視認すればアースプレートがサイドスペーサに係止されているか否かが分かる。アースプレートが係止されていれば、サイドスペーサの正規の位置に固定されていることになる。
【００３７】
【発明の実施の形態】
以下、図面を参照して本発明の一実施の形態を説明する。図１は本発明のシールドコネクタの一実施の形態を示す断面図である。
【００３８】
図１において、引用符号２１はシールド電線１の端末部分に設けられる雄形のシールドコネクタを示している。
【００３９】
シールドコネクタ２１は、アウターハウジングアッシー２２とシールドターミナルアッシー２３とを備えて構成されている。アウターハウジングアッシー２２は、アウターハウジング２４（特許請求の範囲に記載したハウジングに相当）とサイドスペーサアッシー２５とで構成されており、サイドスペーサアッシー２５は、サイドスペーサ２６とアースプレート２７とを備えている。
【００４０】
また、シールドコネクタ２１は、サイドスペーサアッシー２５を、シールドターミナルアッシー２３のアウターハウジング２４に対する収容方向に略直交する方向からアウターハウジング２４に係合させて、アースプレート２７をシールドターミナルアッシー２３に電気的に接続させるような構成で形成されている。
【００４１】
以下、上記各構成部材について詳細に説明する。尚、説明は組み立て工程の順序（一例である）に沿って行うことにする。
【００４２】
図２はアースプレートとサイドスペーサの側面図、図３はサイドスペーサアッシーの側面図を示している。
【００４３】
図２において、上記サイドスペーサ２６は、合成樹脂材料により正面視略コ字状に形成されており、基壁３１（図１９参照）と左側壁３２と右側壁３３とを備えて構成されている。左右の方向は、シールドコネクタ２１（図１参照）を正面から見た場合を基準としている（上下の方向も同じとする。前後方向はシールドコネクタ２１（図１参照）の正面が前、背面が後とする）。
【００４４】
基壁３１（図１９参照）は、前後方向に若干長くなる矩形状に形成されており、型抜き孔３１ａ〜３１ｃ（図１９参照）を有している。型抜き孔３１ａ〜３１ｃ（図１９参照）は、左側壁３２及び右側壁３３に近接する位置に形成されている。
【００４５】
左側壁３２は、右側壁３３よりも上下方向の高さが低く形成されており、保持部３４とガイド部３５（図１参照）とを備えている。左側壁３２は、基壁３１（図１９参照）の左側に連成されている。
【００４６】
保持部３４は、アースプレート２７を保持する断面視略Ｌ字状の前方保持部３６（図１参照）及び後方保持部３７（図１参照）と、これらの中間に位置する略棒状の中間保持部３８とで構成されている。
【００４７】
ガイド部３５は、図１に示される如く、保持部３４に対して若干の間隙を有するとともに、前後方向に延在する壁状に形成されている。また、ガイド部３５は、アウターハウジング２４に案内される部分となっている。
【００４８】
ガイド部３５の前端３９は、保持部３４に対向するように形成されている。前端３９の近傍には、内方へ突出する突条４０が形成されており、前端３９と突条４０と後方保持部３７とで内方から外方へ凹む溝４１が形成されている。
【００４９】
溝４１は、上下方向に延在しており、その深さは後述する突起１０５（図１又は図１４参照）を収容できるだけの深さを少なくとも有している。
【００５０】
ガイド部３５の後端４２には、図２に示される如く、略爪状の係止突起４３が形成されている。係止突起４３は後方に突出しており、テーパ４３ａが形成されている。係止突起４３は特許請求の範囲に記載した被係止部に相当する。
【００５１】
右側壁３３は、外壁部４４と、その外壁部４４の前端に形成される前壁部４５と、外壁部４４の後端に形成される後壁部４６と、前壁部４５及び後壁部４６の間に配設されるプレート固定部４７とで構成されている。前壁部４５及び後壁部４６は、左側壁３２よりも上下方向の高さが高く形成されている。右側壁３３は、基壁３１（図１９参照）の右側に連成されている。
【００５２】
前壁部４５は、外壁部４４の前端から内方に向けて突出するように連成されている。後壁部４６は、間隙を開けて外壁部４４の後端に対向配置されている。
【００５３】
また、右側壁３３には、外壁部４４と前壁部４５とに跨って係止突起部４８が一体に形成されている。係止突起部４８は、上下方向に延在しており、上側の端部近傍には、前方に突出する略爪状の被係止部４９が形成されている。被係止部４９には、テーパ４９ａが形成されている。
【００５４】
後壁部４６には、アースプレート２７を保持する保持部５０と、後述する金属ブラケット１３５（図２４参照）に対する係止突起５１とが形成されている。係止突起５１は、後方から前方に向けて次第に高さが高くなるテーパ５１ａを有する幅広の突起であって、後壁部４６の中間に配置形成されている。
【００５５】
プレート固定部４７は、上下方向に延在する略棒状に形成されている。また、間隙を開けて外壁部４４の中間に対向配置されている。プレート固定部４７の先端近傍には、略爪状の突起５２が形成されている。突起５２には、テーパ５２ａが形成されている。
【００５６】
突起５２は、特許請求の範囲に記載した状態確認部である。その状態確認部は、突起５２に限られるものではなく、上記アースプレート２７がサイドスペーサ２６に確実に固定された際に視認できるものであればその形態は問わないものとする。
【００５７】
上記アースプレート２７は、導電性を有する金属薄板をプレス加工することによって正面視略コ字状に製造されており、基壁５５と、左側壁５６と右側壁５７とを備えて構成されている。
【００５８】
基壁５５は、上記サイドスペーサ２６の基壁３１（図１９参照）に対向するように形成されており、左側に左側壁５６を、右側に右側壁５７を連成している。左側壁５６及び右側壁５７は、折曲加工されている。
【００５９】
左側壁５６は、その前端及び後端が上記サイドスペーサ２６の前方保持部３６（図１参照）及び後方保持部３７（図１参照）に保持されるように略クランク状に形成されている。左側壁５６の中間には、可撓性を有する接触片５８が形成されている。接触片５８は、上下方向に延在しており、その先端が上方から下方に向けて次第に内方へ突出するように形成されている（図５参照）。
【００６０】
右側壁５７は、基壁３１に連続する連続壁部５９と、連続壁部５９に連成される右側壁本体６０とで構成されている。右側壁本体６０には、可撓性を有する接続片６１と、矩形状に貫通形成された孔６２と、上記サイドスペーサ２６の保持部５０に保持される被保持部６３とが形成されている。
【００６１】
接続片６１は、前後方向に延在しており、その先端が後方から前方に向けて次第に外方へ突出するように形成されている。
【００６２】
孔６２には、上記サイドスペーサ２６のプレート固定部４７に形成された突起５２が係合するようになっており、その突起５２が孔６２に係合すると、上下方向の移動が規制されるようになっている。
【００６３】
上記アースプレート２７は、上記サイドスペーサ２６に対して図２の矢線方向に装着されるようになっている。そして、アースプレート２７が確実にサイドスペーサ２６に固定されると、図３に示される如く、サイドスペーサアッシー２５が形成される。
【００６４】
図３において、アースプレート２７の孔６２からサイドスペーサ２６の突起５２が視認できるので、アースプレート２７はサイドスペーサ２６に確実に固定されている。尚、サイドスペーサ２６の右側壁３３及びアースプレート２７の右側壁５７によりパネルロック形成部６４が形成されることになる。
【００６５】
サイドスペーサアッシー２５が形成されると、次の工程へ移行する。
【００６６】
図４はアウターハウジングとサイドスペーサアッシーの仮係止前の側面図、図５はアウターハウジングとサイドスペーサアッシーの仮係止前の正面図を示している。
【００６７】
図４又は図５において、上記アウターハウジング２４は、合成樹脂材により略矩形の筒状に形成されており、前部６７と中間部６８と後部６９の連続する三つの部分を有している。
【００６８】
アウターハウジング２４の前部６７は、他の部分よりも膨出しており、接続相手側となる後述のシールドコネクタ１４０（図２４参照）に対する嵌合部となっている。前部６７の内部には、上記シールドコネクタ１４０（図２４参照）に対するガイド７０、７０が形成されている。ガイド７０、７０は、内方へ突出する突条であり、前部６７の内部上面に形成されている。
【００６９】
アウターハウジング２４の中間部６８には、上記シールドターミナルアッシー２３（図１参照）に対する収容室７１と、サイドスペーサアッシー２５に対する係合部７２とが形成されている。また、アウターハウジング２４の前部６７及び中間部６８に跨って略Ｌ字状のパネルロック形成部７３が形成されている。
【００７０】
収容室７１には、可撓性を有するランス７４と、凹部７５、７６、７７とが形成されている。ランス７４は、アーム状に形成されており、その先端近傍には、シールドターミナルアッシー２３（図１参照）に係合して抜けを防止する係止突起７８が形成されている。ランス７４は、前後方向に延在しており、係止突起７８が収容室７１内に突出するように形成されている。係止突起７８には、緩やかなテーパ（引用符号は省略する）が形成されている。収容室７１は、後部６９に跨って形成されている。
【００７１】
ランス７４の後方には、前後方向に延在する溝状の凹部７９（図１参照）が形成されている。凹部７９（図１参照）は、シールドターミナルアッシー２３（図１参照）の挿入量を規制する際に用いられるようになっている。
【００７２】
凹部７５、７６は、ランス７４を挟んだ上下に形成されており、シールドターミナルアッシー２３（図１参照）を案内するようになっている。凹部７５、７６は、前後方向に延在する溝状に形成されている。
【００７３】
凹部７７は、ランス７４を形成した収容室７１の右側壁８０の逆側に位置する左側壁８１に形成されている。凹部７７は、後述する突起１０５（図１又は図１４参照）を案内するようになっており、前後方向に延在する溝状に形成されている。凹部７７は、サイドスペーサアッシー２５の突条４０が交差する位置（図１参照）まで形成されている。
【００７４】
係合部７２には、サイドスペーサアッシー２５の係止突起４３（図３参照）に対応する仮係止部８３と本係止部８４とが上記左側壁８１側に形成されている。仮係止部８３は、本係止部８４よりも下方に形成されている。
【００７５】
パネルロック形成部７３は、外方に突出するように形成されており、上下方向に延在する縦壁８５の内部には、サイドスペーサアッシー２５の被係止部４９に対応する仮係止部８６と本係止部８７とが形成されている。仮係止部８６は、本係止部８７よりも下方に形成されている。パネルロック形成部７３の前後方向に延在する横壁８８は、後述する金属ブラケット１３５（図２４参照）を保持することができるようになっている。
【００７６】
仮係止部８６は、サイドスペーサアッシー２５（又はサイドスペーサ２６）を仮係止するための部分であって、本形態においては、略爪状に形成された被係止部４９を係止することができる凹み形状に形成されている。
【００７７】
また、本係止部８７は、サイドスペーサアッシー２５（又はサイドスペーサ２６）をアウターハウジング２４に対して完全に係合した状態に係止するための部分であって、本形態においては、仮係止部８６と同様に、略爪状に形成された被係止部４９を係止することができる凹み形状に形成されている。本係止部８７と仮係止部８６は、同一形状になっている。
【００７８】
パネルロック形成部７３は、サイドスペーサアッシー２５のパネルロック形成部６４と共にパネルロック部１３０（図１参照、後述する）を形成するようになっている。そのパネルロック部１３０（図１参照）には、後述する金属ブラケット１３５（図２４参照）がロックされるようになっている。
【００７９】
アウターハウジング２４の後部６９は、収容室７１に連通する挿入口８９（図１８参照）が開口形成されている。挿入口８９（図１８参照）には、凹部７５、７６、７７及び凹部７９（図１参照）が連続するようになっている。
【００８０】
上記サイドスペーサアッシー２５は、上記アウターハウジング２４に対して図４及び図５の矢線方向に係合するようになっている。サイドスペーサアッシー２５をアウターハウジング２４に対して仮係止状態になるまで係合させると、図６及び図７に示される如く、アウターハウジングアッシー２２が形成される。即ち、サイドスペーサアッシー２５をアウターハウジング２４に仮係止させアウターハウジングアッシー２２を形成する工程が行われる。
【００８１】
尚、図４及び図５の矢線方向は、上記シールドターミナルアッシー２３（図１参照）の収容室７１に対する収容方向に直交している（若干斜め方向からサイドスペーサアッシー２５を係合させることも可能であることから、特許請求の範囲には上記直交に対して「略」をつけている）。
【００８２】
図６はサイドスペーサアッシーをアウターハウジングに仮係止させて構成したアウターハウジングアッシーの側面図、図７はサイドスペーサアッシーをアウターハウジングに仮係止させて構成したアウターハウジングアッシーの正面図を示している。
【００８３】
図６及び図７において、アウターハウジングアッシー２２は、サイドスペーサアッシー２５がアウターハウジング２４に対してシールドターミナルアッシー２３（図１参照）の上記収容方向に直交する方向に係合することにより構成されている。その状態は、サイドスペーサアッシー２５が仮係止される状態であり、シールドターミナルアッシー２３（図１参照）が装着可能な状態になっている（図７参照）。
【００８４】
また、サイドスペーサアッシー２５の被係止部４９がアウターハウジング２４の仮係止部８６に係止されるとともに、サイドスペーサアッシー２５の係止突起４３（図４参照）がアウターハウジング２４の仮係止部８３（図５参照）に係止された状態になっている。
【００８５】
この状態において、アースプレート２７の接触片５８は、シールドターミナルアッシー２３（図１参照）の収容室７１への挿入の妨げになることはない（図７参照）。また、後述する金属ブラケット１３５（図２４参照）をロックさせようとしても、すぐに外れてしまい完成したシールドコネクタ２１（図１又は図２４参照）でないことが容易に判断できる。
【００８６】
アウターハウジングアッシー２２が形成されると、次の工程へ移行する。
【００８７】
図８はシールドターミナルとインナーハウジングの断面図、図９はインナーハウジングをシールドターミナルに収容、固定した状態の断面図を示している。
【００８８】
図８において、引用符号９５はシールドターミナルアッシー２３（図１又は図１３参照）を構成するシールドターミナルを示している。また、引用符号９６は同じくシールドターミナルアッシー２３（図１又は図１３参照）を構成するインナーハウジングを示している。
【００８９】
シールドターミナル９５は、導電性を有する金属薄板をプレス加工することにより製造されており、電気接触部９７と電線圧着部９８とを備えて構成されている。
【００９０】
電気接触部９７は、段を有する略筒状に形成されており、その段の前部９９の外形寸法が後部１００の外形寸法よりも大きくなっている（外形寸法は従来例で説明したようにシールド電線１（図１又は図２５参照）の特性インピーダンスに基づいて決定されている）。
【００９１】
前部９９には、後述するシールドコネクタ１４０（図２４参照）のシールドターミナル１４３（図２４参照）が挿入されるようになっている。後部１００の外面には、アースプレート２７（図２４参照）の接触片５８（図２４参照）が接触するようになっている。
【００９２】
また、電気接触部９７には、弾性接触片１０１（図１参照）と、複数の突条１０２と、突起１０３〜１０５（図１４参照）と、ランス１０６と、係止孔１０７と、凸部１０８とが形成されている。
【００９３】
弾性接触片１０１（図１参照）は、前部９９の中間に位置しており、先端近傍が内方に向けて突出するように形成されている。また、後方から前方に向けて延在しており、前方側が自由端となっている。上記シールドターミナル１４３（図２４参照）が挿入されると弾性的に撓み、適度な接触荷重で上記シールドターミナル１４３（図２４参照）を押圧するようになっている。
【００９４】
突条１０２は、前部９９の中間に位置しており、内方に向けて突出形成されている。突条１０２は、上記シールドターミナル１４３（図２４参照）を圧入状態で挿入させるためのものである。
【００９５】
突起１０３〜１０５（図１４参照）は、挿入の際にアウターハウジング２４（図５参照）の凹部７５、７６、７７（図５参照）を摺動する突起であり、凹部７７（図５参照）に対応する突起１０５（図１４参照）がシールドターミナルアッシー２３（図１参照）の係止に関与するようになっている。
【００９６】
ランス１０６は、後部１００の前方に位置しており、先端が内方に向けて突出するように形成されている。また、前方から後方に向けて延在しており、後方側が自由端となっている。ランス１０６は、インナーハウジング９６に対する係止部材となっている。
【００９７】
係止孔１０７は、アウターハウジング２４（図５参照）のランス７４（図５参照）が係合する矩形状の貫通した孔に形成されている。凸部１０８は、アウターハウジング２４（図５参照）の凹部７９（図１又は図１８参照）を摺動するように外方へ向けて突出形成されている。また、凸部１０８は、シールドターミナルアッシー２３（図１参照）の挿入量を規制するようになっている。
【００９８】
電線圧着部９８は、各一対（一方のみ図示）の蓋部１０９と前側圧着片１１０と後側圧着片１１１とで構成されている。また、電気接触部９７との境界近傍には段部１１２が形成されている。
【００９９】
一対の蓋部１０９と前側圧着片１１０は、シールド電線１の編組線４を圧着するための部分であり、後側圧着片１１１は、シールド電線１の外皮５を圧着するようになっている（図１３参照）。
【０１００】
インナーハウジング９６は、合成樹脂材料により成形されており、シールドターミナル９５の後部１００内に挿入、固定されるようになっている。
【０１０１】
インナーハウジング９６には、シールドターミナル９５のランス１０６が係合する溝１１５と、シールドターミナル９５の段部１１２に当接する当接部１１６とが形成されている。
【０１０２】
また、インナーハウジング９６の内部には、前後方向に延在する収容室１１７が形成されている。その収容室１１７には、係止突起１１８が形成されている。
【０１０３】
引用符号１１９はストッパを示している。また、引用符号１２０は型抜き孔を示している。
【０１０４】
インナーハウジング９６は、図８の矢線に示される方向よりシールドターミナル９５に挿入される。インナーハウジング９６は、シールドターミナル９５のランス１０６によって係止される（図９参照）。そして、次の工程へ移行する。
【０１０５】
図１０はインナーターミナルとシールド電線端末部分の側面図を示している。尚、本形態の説明において用いられている図示のシールド電線は、従来例で説明したシールド電線１と同じ構成になっているのでその構成の説明を省略し、従来例の説明と同じ引用符号を付している（図２４中に示されるシールド電線１′も同様）。
【０１０６】
図１０において、引用符号１２５で示されるインナーターミナルは、導電性を有する金属薄板をプレス加工することにより製造されており、電気接触部１２６と電線圧着部１２７とを備えて構成されている。
【０１０７】
電気接触部１２６は、プレス加工により雄タブ状に形成されている。電線圧着部１２７には、シールド電線１の中心導体２を圧着するための一対の圧着片１２８（図１０においては一方のみ図示）が形成されている。
【０１０８】
シールド電線１の中心導体２にインナーターミナル１２５が圧着されると、次の工程に移行し、シールドターミナルアッシー２３（図１３参照）が形成される。
引用符号１２９は電線付インナーターミナルを示している。
【０１０９】
図１１はシールドターミナルアッシーの一部断面を含む分解図、図１２はシールド電線に対する加締め前のシールドターミナルアッシーの断面図、図１３はシールドターミナルアッシーの断面図、図１４はシールドターミナルアッシーの正面図を示している。
【０１１０】
図１１において、電線付インナーターミナル１２９は、図１１の矢線方向からインナーハウジング９６を装着したシールドターミナル９５に挿入される。
【０１１１】
そして、図１２に示される如く、電線付インナーターミナル１２９は、インナーハウジング９６の収容室１１７に収容される。この時、電線付インナーターミナル１２９は、係止突起１１８とストッパ１１９により前後方向の移動が規制される。
【０１１２】
その後、シールドターミナル９５の各一対の蓋部１０９と前側圧着片１１０と後側圧着片１１１とが加締められ、図１３及び図１４に示される如くのシールドターミナルアッシー２３が形成される。
【０１１３】
シールドターミナルアッシー２３が形成されると次の工程へ移行する。次の工程ではアウターハウジングアッシー２２にシールドターミナルアッシー２３を装着する作業が行われる。
【０１１４】
図１５はアウターハウジングアッシーとシールドターミナルアッシーの一部断面を含む分解図、図１６はアウターハウジングアッシーにシールドターミナルアッシーを収容、固定した際の側面図、図１７はアウターハウジングアッシーにシールドターミナルアッシーを収容、固定した際の正面図、図１８はアウターハウジングアッシーにシールドターミナルアッシーを収容、固定した際の背面図、図１９はアウターハウジングアッシーにシールドターミナルアッシーを収容、固定した際の底面図、図２０は図１８のＡ−Ａ線断面図、図２１は図１８のＢ−Ｂ線断面図を示している（サイドスペーサは仮係止状態である）。
【０１１５】
図１５において、シールドターミナルアッシー２３は、図１５の矢線方向からアウターハウジングアッシー２２に挿入される。シールドターミナルアッシー２３は、アウターハウジング２４のランス７４（図１７参照）に係止されるまで挿入される。
【０１１６】
アウターハウジングアッシー２２にシールドターミナルアッシー２３が装着された状態は、図１６ないし図２１に示される如くの状態となる。
【０１１７】
シールドターミナルアッシー２３の突起１０３〜１０５（図１７参照）は、アウターハウジング２４の凹部７５、７６、７７（図１７参照）を摺動する。また、シールドターミナルアッシー２３の凸部１０８（図１８参照）は、アウターハウジング２４の凹部７９（図１８参照）を摺動する。
【０１１８】
尚、この時、サイドスペーサアッシー２５がアウターハウジング２４に対して仮係止状態にあるため、シールドターミナルアッシー２３の突起１０５（図１７参照）は、サイドスペーサ２６の溝４１（図１７参照）に収容されてはいない。また、アースプレート２７（図２０参照）の接触片５８（図２０参照）もシールドターミナル９５（図２０参照）に完全には接続されていない。
【０１１９】
そして、最後にサイドスペーサアッシー２５をアウターハウジング２４に本係止させてシールドコネクタ２１の組み立てが完了する。
【０１２０】
図２２はシールドコネクタの側面図、図２３はシールドコネクタの正面図を示している。
【０１２１】
図１、図２２又は図２３のいずれかにおいて、サイドスペーサアッシー２５をアウターハウジング２４に本係止させると、サイドスペーサアッシー２５の被係止部４９がアウターハウジング２４の本係止部８７に係止されるとともに、サイドスペーサアッシー２５の係止突起４３（図４参照）がアウターハウジング２４の本係止部８４（図５参照）に係止される。
【０１２２】
また、シールドターミナルアッシー２３の突起１０５がサイドスペーサアッシー２５の溝４１に収容され、シールドターミナルアッシー２３が二重係止される。
【０１２３】
さらに、アウターハウジング２４のパネルロック形成部７３と、サイドスペーサアッシー２５のパネルロック形成部６４とで後述する金属ブラケット１３５（図２４参照）に対するパネルロック部１３０（図１又は図２２参照）が形成される。
【０１２４】
尚、サイドスペーサアッシー２５をアウターハウジング２４に本係止させる際に、突起１０５を溝４１内に収容させることができない場合には、シールドターミナルアッシー２３が途中挿入状態にあることが把握できる。
【０１２５】
以上、図１ないし図２３までを参照しながら説明してきたように、シールドコネクタ２１は、サイドスペーサアッシー２５（又はサイドスペーサ２６）をシールドターミナルアッシー２３（又はシールドターミナル９５）の収容方向に対して略直交する方向からアウターハウジング２４へ係合させ、アウターハウジング２４に収容したシールドターミナルアッシー２３（又はシールドターミナル９５）にアースプレート２７の接触片５８を電気的に接続させる構成としていることから、アースプレート２７の接触片５８は、シールドターミナル９５の外径寸法の変化に影響されることはない。また、従来のような接触片１８（図３０参照）の過大変位がなくなる。
【０１２６】
従って、シールドコネクタ２１は、接触片５８とシールドターミナル９５との接触荷重を良好に維持することができる。
【０１２７】
また、アウターハウジング２４は、仮係止部８７、８３と本係止部８８、８４とを有していることから、サイドスペーサアッシー２５（又はサイドスペーサ２６）を係合位置に応じて仮係止又は本係止させることができ、組み立てに係る作業が容易になっている。
【０１２８】
さらには、後述する金属ブラケット１３５（図２４参照）をロックするパネルロック部１３０の一部を、サイドスペーサアッシー２５で構成していることから、そのサイドスペーサアッシー２５がアウターハウジング２４に完全に係合しない限り、金属ブラケット１３５（図２４参照）をロックすることができないようになっている。
【０１２９】
図２４は接続相手側のシールドコネクタと係合した際の断面図を示している。上記シールドコネクタ２１の取り付け相手先（不図示）と接続相手について簡単に説明する。
【０１３０】
図２４において、シールドコネクタ２１は、取り付け相手先（不図示）の金属ブラケット１３５に取り付けられている。金属ブラケット１３５は、導電性を有する金属板から形成されており、係止突起５１に対する係合部１３６を有している。金属ブラケット１３５には、アースプレート２７が電気的に接続されている。また、シールドコネクタ２１には、接続相手側となる雌形のシールドコネクタ１４０が接続されている。
【０１３１】
上記シールドコネクタ１４０は、合成樹脂製のアウターハウジング１４１とシールドターミナルアッシー１４２とを備えて構成されている。シールドターミナルアッシー１４２は、導線性を有するシールドターミナル１４３と、シールドターミナル１４３内に装着される合成樹脂製インナーハウジング１４４と、インナーハウジング１４４の収容室１４５に収容される電線付インナーターミナル１４６とから成り、電線付インナーターミナル１４６は、導電性を有するインナーターミナル１４７と既知のシールド電線１′とを備えて構成されている。
【０１３２】
シールド電線１′の中心導体２′には、インナーターミナル１４７が接続されている。また、シールド電線１′の編組線４′には、シールドターミナル１４３が接続されている。
【０１３３】
【発明の効果】
以上説明したように請求項１に記載された本発明によれば、シールドコネクタは、サイドスペーサをシールドターミナルの収容方向に対して略直交する方向からハウジングへ係合させ、ハウジングに収容したシールドターミナルにアースプレートの接触片を電気的に接続される構成としていることから、アースプレートの接触片は、シールドターミナルの外径寸法の変化に影響されることはない。また、従来のような接触片の過大変位がなくなる。従って、接触片とシールドターミナルとの接触荷重が良好に維持されるシールドコネクタを提供することができるという効果を奏する。さらに、取り付け相手先の金属ブラケットをロックするパネルロックの一部を、サイドスペーサで構成していることから、サイドスペーサがハウジングに完全に係合しない限り、金属ブラケットをロックすることができない。従って、サイドスペーサの係合忘れを防止することができるのは勿論のこと、シールドターミナルが途中挿入状態であることを把握することができるという効果を奏する。
【０１３４】
請求項２に記載された本発明によれば、ハウジングは、サイドスペーサを仮係止するための仮係止部と、サイドスペーサをハウジングに対して完全に係合した状態に係止するための本係止部とを有し、サイドスペーサには、そのサイドスペーサのハウジングに対する係合位置に応じて仮係止部又は本係止部に係止される被係止部を形成していることから、サイドスペーサをハウジングへ係合させる作業を容易にすることができる。また、ハウジングに対してサイドスペーサを仮係止させた状態でシールドターミナルの挿入を行うことができる。
従って、組み立て易いシールドコネクタを提供することができるという効果を奏する。
【０１３５】
請求項３に記載された本発明によれば、サイドスペーサは、シールドターミナルの収容方向に対して略直交する方向に延在する溝を有し、シールドターミナルには、サイドスペーサの溝に収容される突起を形成していることから、サイドスペーサをハウジングへ係合させると、突起が溝に収容されて、シールドターミナルの収容方向及び抜け方向の移動を規制することができる。また、途中挿入状態であるか否かを容易に確認することができる。
従って、シールドターミナルの係止状態を向上させるとともに、シールドターミナルの状態確認を容易にすることができるという効果を奏する。
【０１３６】
請求項４に記載された本発明によれば、ハウジングは、シールドターミナルを係止するランスを一体に有し、そのランスをハウジングにおける、シールドターミナルの突起が対向する壁とは逆側となる壁に形成していることから、抜け方向の外力が加わったとしても、ランス及びシールドターミナルと、突起及び溝とにより、シールドターミナルがハウジング内で傾いてしまうことを防止することができる。また、シールドターミナルの抜け方向に対する移動規制を安定させることができる。
従って、シールドターミナルの係止状態を更に向上させることができるという効果を奏する。
【０１３７】
請求項５に記載された本発明によれば、サイドスペーサに、アースプレートが完全に固定された際にのみアースプレートを介して視認される状態確認部を形成していることから、状態確認部を視認することで、アースプレートがサイドスペーサの正規の位置に固定されているかどうかを確認することができる。
従って、アースプレートの状態確認を容易にすることができるという効果を奏する。
【０１３８】
請求項６に記載された本発明によれば、状態確認部を、アースプレートに形成した孔に係合する略爪状の突起としていることから、状態確認部を視認すればアースプレートがサイドスペーサに係止されているか否かが分かる。アースプレートが係止されていれば、サイドスペーサの正規の位置に固定されていることになる。
従って、アースプレートの状態確認を更に容易にすることができるという効果を奏する。
【図面の簡単な説明】
【図１】本発明によるシールドコネクタの一実施の形態を示す断面図である。
【図２】アースプレートとサイドスペーサの側面図である。
【図３】サイドスペーサアッシーの側面図である。
【図４】アウターハウジングとサイドスペーサアッシーの仮係止前の側面図である。
【図５】アウターハウジングとサイドスペーサアッシーの仮係止前の正面図である。
【図６】サイドスペーサアッシーをアウターハウジングに仮係止させて構成したアウターハウジングアッシーの側面図である。
【図７】サイドスペーサアッシーをアウターハウジングに仮係止させて構成したアウターハウジングアッシーの正面図である。
【図８】シールドターミナルとインナーハウジングの断面図である。
【図９】インナーハウジングをシールドターミナルに収容、固定した状態の断面図である。
【図１０】インナーターミナルとシールド電線端末部分の側面図である。
【図１１】シールドターミナルアッシーの一部断面を含む分解図である。
【図１２】シールド電線に対する加締め前のシールドターミナルアッシーの断面図である。
【図１３】シールドターミナルアッシーの断面図である。
【図１４】シールドターミナルアッシーの正面図である。
【図１５】アウターハウジングアッシーとシールドターミナルアッシーの一部断面を含む分解図（サイドスペーサは仮係止状態）である。
【図１６】アウターハウジングアッシーにシールドターミナルアッシーを収容、固定した際の側面図（サイドスペーサは仮係止状態）である。
【図１７】アウターハウジングアッシーにシールドターミナルアッシーを収容、固定した際の正面図（サイドスペーサは仮係止状態）である。
【図１８】アウターハウジングアッシーにシールドターミナルアッシーを収容、固定した際の背面図（サイドスペーサは仮係止状態）である。
【図１９】アウターハウジングアッシーにシールドターミナルアッシーを収容、固定した際の底面図（サイドスペーサは仮係止状態）である。
【図２０】図１８のＡ−Ａ線断面図である。
【図２１】図１８のＢ−Ｂ線断面図である。
【図２２】シールドコネクタの側面図である。
【図２３】シールドコネクタの正面図である。
【図２４】接続相手側のシールドコネクタと係合した際の断面図である。
【図２５】シールド電線の端末部分の説明図である。
【図２６】従来例のシールドコネクタを構成するシールドターミナルアッシーの断面図である。
【図２７】図２６のシールドターミナルアッシーが接続されることになる接続相手としてのシールドターミナルアッシーの断面図である。
【図２８】図２６のシールドターミナルアッシーと図２７のシールドターミナルアッシーとを接続させた状態の断面図（アウターハウジング等は省略）である。
【図２９】図２６のシールドターミナルアッシーを有する従来例のシールドコネクタの断面図である。
【図３０】図２６のシールドターミナルアッシーの途中挿入状態の従来例のシールドコネクタの断面図である。
【符号の説明】
２１  シールドコネクタ
２２  アウターハウジングアッシー
２３  シールドターミナルアッシー
２４  アウターハウジング（ハウジング）
２５  サイドスペーサアッシー
２６  サイドスペーサ
２７  アースプレート
３１  基壁
３２  左側壁
３３  右側壁
３１ａ〜３１ｃ  型抜き孔
３４  保持部
３５  ガイド部
３６  前方保持部
３７  後方保持部
３８  中間保持部
３９  前端
４０  突条
４１  溝
４２  後端
４３  係止突起（被係止部）
４３ａ  テーパ
４４  外壁部
４５  前壁部
４６  後壁部
４７  プレート固定部
４８  係止突起部
４９  被係止部
４９ａ  テーパ
５０  保持部
５１  係止突起
５１ａ  テーパ
５２  突起（状態確認部）
５２ａ  テーパ
５５  基壁
５６  左側壁
５７  右側壁
５８  接触片
５９  連続壁部
６１  接続片
６２  孔
６３  被保持部
６４  パネルロック形成部
６７  前部
６８  中間部
６９  後部
７０  ガイド
７１  収容室
７２  係合部
７３  パネルロック形成部
７４  ランス
７５、７６、７７  凹部
７８  係止突起
７９  凹部
８０  右側壁
８１  左側壁
８３  仮係止部
８４  本係止部
８５  縦壁
８６  仮係止部
８７  本係止部
８８  横壁
８９  挿入口
９５  シールドターミナル
９６  インナーハウジング
９７  電気接触部
９８  電線圧着部
９９  前部
１００  後部
１０１  弾性接触片
１０２  突条
１０３〜１０５  突起
１０６  ランス
１０７  係止孔
１０８  凸部
１０９  蓋部
１１０  前側圧着片
１１１  後側圧着片
１１２  段部
１１５  溝
１１６  当接部
１１７  収容室
１１８  係止突起
１１９  ストッパ
１２０  型抜き孔
１２５  インナーターミナル
１２６  電気接触部
１２７  電線圧着部
１２８  圧着片
１２９  電線付インナーターミナル
１３０  パネルロック部
１３５  金属ブラケット
１３６  係合部
１４０  シールドコネクタ
１４１  アウターハウジング
１４２  シールドターミナルアッシー
１４３  シールドターミナル
１４４  インナーハウジング
１４５  収容室
１４６  電線付インナーターミナル
１４７  インナーターミナル
【図１】
0003606436.tif 000002
【図２】
0003606436.tif 000003
【図３】
0003606436.tif 000004
【図４】
0003606436.tif 000005
【図５】
0003606436.tif 000006
【図６】
0003606436.tif 000007
【図７】
0003606436.tif 000008
【図８】
0003606436.tif 000009
【図９】
0003606436.tif 000010
【図１０】
0003606436.tif 000011
【図１１】
0003606436.tif 000012
【図１２】
0003606436.tif 000013
【図１３】
0003606436.tif 000014
【図１４】
0003606436.tif 000015
【図１５】
0003606436.tif 000016
【図１６】
0003606436.tif 000017
【図１７】
0003606436.tif 000018
【図１８】
0003606436.tif 000019
【図１９】
0003606436.tif 000020
【図２０】
0003606436.tif 000021
【図２１】
0003606436.tif 000022
【図２２】
0003606436.tif 000023
【図２３】
0003606436.tif 000024
【図２４】
0003606436.tif 000025
【図２５】
0003606436.tif 000026
【図２６】
0003606436.tif 000027
【図２７】
0003606436.tif 000028
【図２８】
0003606436.tif 000029
【図２９】
0003606436.tif 000030
【図３０】
0003606436.tif 000031